(57)【要約】【課題】既設の渡り配管を流用して設置される空気調和機にあって、渡り配管の洗浄運転時間を可及的に短くすることができる空気調和機を提供することを目的とする。【解決手段】室外機２と、該室外機２に液冷媒配管５およびガス冷媒配管４を介して接続される少なくとも１台の室内機３とから構成され、液冷媒配管５およびガス冷媒配管４として既設の渡り配管が流用可能とされた空気調和機１であって、室外機２および室内機３を接続後の配管洗浄運転時、冷房サイクルにて冷房用電子膨張弁１１の開度を過熱度制御時の開度Ａと全開または全開近傍の開度Ｂとの間で周期的に複数回開閉し、間欠的に液バックさせて既設の渡り配管を洗浄する配管洗浄制御部２５を備えている。【選択図】図１
2014009832.tif 000002
【特許請求の範囲】
【請求項１】
室外機と、該室外機に液冷媒配管およびガス冷媒配管を介して接続される少なくとも１台の室内機とから構成され、前記液冷媒配管および前記ガス冷媒配管に既設の渡り配管が流用可能とされた空気調和機であって、
前記室外機および前記室内機を接続後の配管洗浄運転時、冷房サイクルにて冷房用電子膨張弁の開度を過熱度制御時の開度Ａと全開または全開近傍の開度Ｂとの間で周期的に複数回開閉し、間欠的に液バックさせて既設の前記渡り配管を洗浄する配管洗浄制御部を備えていることを特徴とする空気調和機。
【請求項２】
前記冷房用電子膨張弁を周期的に開閉する際において、過熱度制御時の開度Ａとする時間と全開または全開近傍の開度Ｂとする時間との比が概ね２〜４：１とされていることを特徴とする請求項１に記載の空気調和機。
【請求項３】
前記室外機の冷媒回路中に、既設の前記渡り配管内に残留していた異物を回収する異物回収部が設けられていることを特徴とする請求項１または２に記載の空気調和機。
【請求項４】
前記異物回収部は、前記室外機の冷媒回路中に設けられている暖房用電子膨張弁に対して並列に接続され、前記配管洗浄運転時のみ冷媒が流通可能とされるドライヤを備えたバイパス回路により構成されていることを特徴とする請求項３に記載の空気調和機。
【請求項５】
前記バイパス回路は、前記ドライヤの入口側に電磁弁、出口側に逆止弁が設けられた回路とされていることを特徴とする請求項４に記載の空気調和機。
【請求項６】
前記異物回収部は、前記室外機の冷媒回路中のガス側操作弁の外方側に設けられ、前記配管洗浄運転時のみ冷媒が流通される着脱可能な補助アキュームレータにより構成されていることを特徴とする請求項３に記載の空気調和機。
【発明の詳細な説明】
【技術分野】
【０００１】
本発明は、既設の空気調和機を新たな空気調和機に更新する際に、既設の渡り配管を流用して設置することが可能な空気調和機に関するものである。
【背景技術】
【０００２】
既に設置されている空気調和機を新たな空気調和機に更新する際、建屋内に敷設されている既設の渡り配管、すなわち室外機と室内機とを接続するガス冷媒配管および液冷媒配管をそのまま流用し、その配管に新しい室外機および室内機を接続することによって空気調和機を更新する方法が採られる場合がある。しかし、既設の渡り配管には、ゴミや油分等の異物が付着、残留している虞があるため、流用に際しては、渡り配管を洗浄し、異物を除去してから使用する必要がある。
【０００３】
一般に、渡り配管を洗浄する方法としては、冷媒を循環させることにより、異物を冷媒によって洗い流す方法が採られているが、既設の空気調和機が運転不能の場合、既設の空気調和機により配管洗浄を行うことが困難なことから、新たに設置する空気調和機側に配管洗浄機能を持たせておく必要がある。特許文献１には、圧縮機の吸入配管に油等の異物を捕集する捕集装置を接続するとともに、配管を接続後に空気調和機を冷房運転し、膨張弁の開度を通常の冷房運転時の開度よりも大きめに設定することにより、冷媒を湿り状態（気液二相流）として循環させ、いわゆる液バック気味運転として配管洗浄を行うようにしたものが開示されている。
【先行技術文献】
【特許文献】
【０００４】
【特許文献１】特開２００４−３３３１２１号公報
【発明の概要】
【発明が解決しようとする課題】
【０００５】
しかしながら、湿り状態の冷媒を流し、いわゆる液バック気味運転により渡り配管を洗浄するものでは、配管内に付着している油分等に対して洗浄力を十分に確保できないことから、洗浄運転時間が長くなる傾向があった。また、洗浄運転時間が長くなると、それに伴ってトータルの冷媒液バック量が増加することから、圧縮機に対する保護対策が必要となり、冷媒の湿り度を小さくすると、洗浄力がますます低下し、洗浄運転時間が長くなってしまう等の課題があった。
【０００６】
本発明は、このような事情に鑑みてなされたものであって、既設の渡り配管を流用して設置される空気調和機にあって、渡り配管の洗浄運転時間を可及的に短くすることができる空気調和機を提供することを目的とする。
【課題を解決するための手段】
【０００７】
上記した課題を解決するために、本発明の空気調和機は、以下の手段を採用する。
すなわち、本発明にかかる空気調和機は、室外機と、該室外機に液冷媒配管およびガス冷媒配管を介して接続される少なくとも１台の室内機とから構成され、前記液冷媒配管および前記ガス冷媒配管に既設の渡り配管が流用可能とされた空気調和機であって、前記室外機および前記室内機を接続後の配管洗浄運転時、冷房サイクルにて冷房用電子膨張弁の開度を過熱度制御時の開度Ａと全開または全開近傍の開度Ｂとの間で周期的に複数回開閉し、間欠的に液バックさせて既設の前記渡り配管を洗浄する配管洗浄制御部を備えていることを特徴とする。
【０００８】
本発明によれば、既設の渡り配管を流用して設置される空気調和機にあって、室外機および室内機を接続後の配管洗浄運転時、冷房サイクルにて冷房用電子膨張弁の開度を過熱度制御時の開度Ａと全開または全開近傍の開度Ｂとの間で周期的に複数回開閉し、間欠的に液バックさせて既設の渡り配管を洗浄する配管洗浄制御部を備えているため、冷房用電子膨張弁を過熱度制御時の開度Ａと全開または全開近傍の開度Ｂとの間で周期的に複数回開閉し、間欠的に液バックさせることによって、冷房用電子膨張弁の開度を過熱度制御時の開度よりも大きめの一定開度とし、或る時間連続的に液バック気味運転する場合に比べて、間欠的に複数回実施される液バック運転の毎回の液バック運転時に、より液リッチな冷媒を液バックさせることができる。従って、既設の渡り配管を洗浄する際の洗浄力および洗浄効果を高めて、配管洗浄運転時間を短縮化することができる。つまり、配管洗浄時の液バック運転は、配管の内面に付着している油や塩素等の異物を液冷媒で洗い流すものであり、同じ量の冷媒を液バックするにしても、湿り度を高めにした冷媒を或る時間連続的に流して液バック気味運転するよりも、より液リッチな状態とした冷媒を間欠的に流して洗い流した方が洗浄力を高めることができ、それが洗浄運転時間の短縮化に繋がる。
【０００９】
さらに、本発明の空気調和機は、上記の空気調和機において、前記冷房用電子膨張弁を周期的に開閉する際において、過熱度制御時の開度Ａとする時間と全開または全開近傍の開度Ｂとする時間との比が概ね２〜４：１とされていることを特徴とする。
【００１０】
本発明によれば、冷房用電子膨張弁を周期的に開閉する際において、過熱度制御時の開度Ａとする時間と全開または全開近傍の開度Ｂとする時間との比が概ね２〜４：１とされているため、配管洗浄運転時に冷房用電子膨張弁が全開または全開近傍の開度Ｂとされる時間を過熱度制御時の開度Ａとされる時間の概ね１／２〜４に設定し、液バック運転の時間を短めにすることによって、液バックされる冷媒のトータル量を抑制しつつ、複数回実施される液バック運転の毎回の液バック運転時に、より液リッチとした冷媒を液バックすることが可能となる。これにより、既設の渡り配管の洗浄力を高め、配管洗浄運転時間を短くすることができる。
【００１１】
さらに、本発明の空気調和機は、上述のいずれかの空気調和機において、前記室外機の冷媒回路中に、既設の前記渡り配管内に残留していた異物を回収する異物回収部が設けられていることを特徴とする。
【００１２】
本発明によれば、室外機の冷媒回路中に、既設の渡り配管内に残留していた異物を回収する異物回収部が設けられているため、配管洗浄運転時に液バック運転により渡り配管から室外機側に回収された異物を、室外機の冷媒回路中に設けられている異物回収部によって回収し、冷媒回路から除去することができる。従って、渡り配管中に残留していた異物が通常の空調運転に影響を及ぼさないようにすることができる。
【００１３】
さらに、本発明の空気調和機は、上記の空気調和機において、前記異物回収部は、前記室外機の冷媒回路中に設けられている暖房用電子膨張弁に対して並列に接続され、前記配管洗浄運転時のみ冷媒が流通可能とされるドライヤを備えたバイパス回路により構成されていることを特徴とする。
【００１４】
本発明によれば、異物回収部が、室外機の冷媒回路中に設けられている暖房用電子膨張弁に対して並列に接続され、配管洗浄運転時のみ冷媒が流通可能とされるドライヤを備えたバイパス回路により構成されているため、配管洗浄運転時、暖房用電子膨張弁を全閉状態とし、配管洗浄運転時のみ冷媒が流通可能とされるバイパス回路側に冷媒を流すことにより、配管洗浄運転で既設の渡り配管から回収された油や塩素等の異物をドライヤの吸着機能を利用して回収・除去することができる。従って、配管洗浄運転により回収された異物を専用の異物回収用バイパス回路を設けることで簡易に回収し、冷媒が通常運転時に循環する回路から除去することができる。
【００１５】
さらに、本発明の空気調和機は、上記の空気調和機において、前記バイパス回路は、前記ドライヤの入口側に電磁弁、出口側に逆止弁が設けられた回路とされていることを特徴とする。
【００１６】
本発明によれば、バイパス回路が、ドライヤの入口側に電磁弁、出口側に逆止弁が設けられた回路とされているため、配管洗浄運転時、電磁弁を開とすることによりバイパス回路側に冷媒を流通させることができ、一方、配管洗浄運転終了後は、電磁弁を閉としておくことにより、バイパス回路に対して冷媒を不流通とすることができる。従って、電磁弁１個で配管洗浄時のみ冷媒を流通させ、異物の回収に供することができる常設のバイパス回路を構成でき、異物回収部を着脱する手間を省くことができる。
【００１７】
さらに、本発明の空気調和機は、上記の空気調和機において、前記異物回収部は、前記室外機の冷媒回路中のガス側操作弁の外方側に設けられ、前記配管洗浄運転時のみ冷媒が流通される着脱可能な補助アキュームレータにより構成されていることを特徴とする。
【００１８】
本発明によれば、異物回収部が、室外機の冷媒回路中のガス側操作弁の外方側に設けられ、配管洗浄運転時のみ冷媒が流通される着脱可能な補助アキュームレータにより構成されているため、配管洗浄運転時、間欠的な液バック運転により室内機側から渡り配管のガス冷媒配管を流通して液バックされる冷媒を、室外機の入口部に設けられている補助アキュームレータによってホールドし、そこで異物を回収することができるとともに、液冷媒を一旦ホールドして徐々に圧縮機側に戻すことができる。従って、既設の渡り配管中に残留していた異物を直接回収・除去し、回収効率を高めることができるとともに、圧縮機への大量の液バックを防止し、圧縮機を保護することができる。また、着脱可能な補助アキュームレータであるため、或る程度の容積を確保し、間欠的な複数回分の液バック量に見合った補助アキュームレータとすることにより、圧縮機を確実に保護することができる。
【発明の効果】
【００１９】
本発明によると、冷房用電子膨張弁を過熱度制御時の開度Ａと全開または全開近傍の開度Ｂとの間で周期的に複数回開閉し、間欠的に液バックさせることによって、冷房用電子膨張弁の開度を過熱度制御時の開度よりも大きめの一定開度とし、或る時間連続的に液バック気味運転する場合に比べて、間欠的に複数回実施される液バック運転の毎回の液バック運転時により液リッチな冷媒を液バックさせることが可能となるため、既設の渡り配管を洗浄する際の洗浄力および洗浄効果を高めて、配管洗浄運転時間を短縮化することができる。つまり、配管洗浄時の液バック運転は、配管の内面に付着している油や塩素等の異物を液冷媒で洗い流すものであり、同じ量の冷媒を液バックするにしても、湿り度を高めにした冷媒を或る時間連続的に流して液バック気味運転するよりも、より液リッチな状態とした冷媒を間欠的に流して洗い流した方が洗浄力を高めることができ、それが洗浄運転時間の短縮化に繋がる。
【図面の簡単な説明】
【００２０】
【図１】本発明の第１および第２実施形態に係る空気調和機の概略構成図である。
【図２】図１に示す空気調和機の配管洗浄運転時の冷房用電子膨張弁の動作状態説明図である。
【図３】図１に示す空気調和機の配管洗浄運転時のガス冷媒配管（渡り配管）内の液バック状態を表した模式図である。
【発明を実施するための形態】
【００２１】
以下に、本発明にかかる実施形態について、図面を参照して説明する。
［第１実施形態］
以下、本発明の第１実施形態について、図１ないし図３を用いて説明する。
図１には、本発明の第１実施形態に係る空気調和機の概略構成図が示されている。
空気調和機１は、室外機２と、少なくとも１台の室内機３とが渡り配管であるガス冷媒配管４および液冷媒配管５を介して接続されることによって構成されている。
【００２２】
室外機２側には、低圧ガス冷媒を圧縮する圧縮機６、冷媒の循環方向を切換える四方切換弁７、冷媒と外気とを熱交換する室外熱交換器８、暖房時に開度制御される暖房用電子膨張弁（ＥＥＶＨ）９、液冷媒を貯留するレシーバ１０、冷房時に開度制御される冷房用電子膨張弁（ＥＥＶＣ）１１、圧縮機６に吸入される冷媒中から液分を分離するアキュームレータ１２等が配設され、これらが順次冷媒配管１３を介して公知の如く接続されることにより、室外側冷媒回路１４が構成されている。
【００２３】
なお、室外側冷媒回路１４の四方切換弁７に接続されているガス配管１３Ａおよび冷房用電子膨張弁（ＥＥＶＣ）１１に接続されている液配管１３Ｂには、それぞれガス側操作弁１５および液側操作弁１６が設けられている。また、室外機２側には、室外熱交換器８に対して外気を通風する室外送風機（図示省略）が設けられているものとする。
【００２４】
室内機３側には、冷媒と室内空気とを熱交換する室内熱交換器１７が配設され、この室内熱交換器１７が渡り配管であるガス冷媒配管４および液冷媒配管５を介して室外機２と接続されている。こうして、閉サイクルの冷媒回路１８が構成され、四方切換弁７を介して冷房サイクルまたは暖房サイクルに切換えることにより、公知の如く冷房運転または暖房運転が行えるようになっている。なお、室内機３側には、図示省略の室内送風機が設けられており、この室内送風機を介して循環される室内空気を室内熱交換器１７で冷媒と熱交換させて冷却または加熱し、それを室内に吹出すことによって室内の冷房または暖房に供している。
【００２５】
このような空気調和機１にあって、既設の古い空気調和機を新たな空気調和機１に更新する際、既に建屋内に敷設されているガス冷媒配管４および液冷媒配管５を渡り配管としてそのまま流用し、その配管に室外機２および室内機３を接続して新たな空気調和機１を据え付けする場合がある。この場合、冷媒回路１８内に残っている古い冷媒は、真空引きによって除去できるが、この真空引きでは、渡り配管であるガス冷媒配管４および液冷媒配管５内に付着している油分や塩素分等の異物を除去することができない。
【００２６】
そこで、新たに設置する側の空気調和機１に対して、ガス冷媒配管４および液冷媒配管５として流用する既設の渡り配管を冷媒により洗浄し、その内部に残留している油分や塩素分等の異物を回収し、除去するための異物回収部２０および配管洗浄制御部２５を設けている。
【００２７】
異物回収部２０は、室外側冷媒回路１４中に設けられている暖房用電子膨張弁（ＥＥＶＨ）９に対して、並列に接続されたバイパス回路２１によって構成されている。このバイパス回路２１には、配管洗浄運転時においてのみ開とされる電磁弁２２、ドライヤ２３および逆止弁２４が順次直列に設けられており、冷房サイクルで運転される配管洗浄運転時のみ冷媒が循環されるようになっている。なお、ドライヤ２３には、一般に冷媒回路１８中に介装されている、容器内部にストレーナを介して活性炭、活性アルミナ、モレキュラシーブ等の吸着・乾燥剤等を充填している公知のドライヤを使用することができる。
【００２８】
また、配管洗浄制御部２５は、空気調和機１を据え付ける際の配管洗浄運転時に、四方切換弁７を冷房サイクルに切換えて圧縮機６を運転するとともに、暖房用電子膨張弁（ＥＥＶＨ）９を全閉、電磁弁２２を開、冷房用電子膨張弁（ＥＥＶＣ）１１を通常の過熱度制御時の開度Ａと全開または全開近傍の開度Ｂとの間で周期的に複数回開閉制御するものである。冷房用電子膨張弁（ＥＥＶＣ）１１は、図２に示されるように、周期的に開閉制御される際、過熱度制御時の開度Ａとする時間Ｔ１と、全開または全開近傍の開度Ｂとする時間Ｔ２との比が、概ね１：２〜４とされるようになっており、例えば、全開時間Ｔ２を１分とした場合、過熱度制御時の時間Ｔ１が２分〜４分とされ、それが例えば、２０回程度、周期的に繰り返されるようになっている。
【００２９】
これによって、配管洗浄運転時、既設の渡り配管であったガス冷媒配管４および液冷媒配管５内を冷媒が、図３に示されるように、液リッチの状態Ｃで間欠的に複数回流動されることになる。この液バック運転により、特にガス冷媒配管４に残留していた油分や塩素分等の異物を洗い流し、室外機２側の冷媒回路１４に導くことができる。そして、その異物を異物回収部２０であるバイパス回路２１へと循環させ、ドライヤ２３に吸着させることによって冷媒回路１８から除去し、バイパス回路２１内に封じ込めることができるように構成されている。
【００３０】
以上に説明の構成により、本実施形態によれば、以下の作用効果を奏する。
既設の渡り配管であったガス冷媒配管４および液冷媒配管５を流用して空気調和機１を設置した場合、配管接続後の配管洗浄運転によって、ガス冷媒配管４および液冷媒配管５内に残留していた油分や塩素分等の異物を洗い流し、回収・除去する必要がある。本実施形態では、配管洗浄運転時、四方切換弁７を冷房サイクル側に切換えて圧縮機６を運転するとともに、暖房用電子膨張弁（ＥＥＶＨ）９を全閉、電磁弁２２を開、冷房用電子膨張弁（ＥＥＶＣ）１１を通常の過熱度制御時の開度Ａと全開または全開近傍の開度Ｂとの間で周期的に複数回開閉制御するようにしている。
【００３１】
これによって、冷房用電子膨張弁（ＥＥＶＣ）１１は、図２に示されるように、過熱度制御時の開度Ａと全開または全開近傍の開度Ｂとの間で周期的に開閉され、全開または全開近傍の開度Ｂとなったときに、図３に示されるように、液リッチの冷媒Ｃを間欠的に液冷媒配管５、室内機３、ガス冷媒配管４を経て室外機２側へと流動させ、いわゆる液バック運転することができる。この液リッチの冷媒Ｃによってガス冷媒配管４および液冷媒配管５に残留していた油分や塩素分等の異物を洗い流すことができる。
【００３２】
この油分や塩素分等の異物は、室外機２側の冷媒回路１４内を徐々に移動され、電磁弁２２が開とされているバイパス回路２１へと循環される。バイパス回路２１には、ドライヤ２３が設けられており、上記の異物をドライヤ２３に吸着させることによって冷媒回路１８から回収し、除去することができる。そして、配管洗浄運転が終了した時点で電磁弁２２が閉止されることから、ドライヤ２３で吸着した異物を逆止弁２４および閉止された電磁弁２２によりドライヤ２３を含むバイパス回路２１内に封じ込めることができる。
【００３３】
斯くして、本実施形態においては、冷房用電子膨張弁（ＥＥＶＣ）１１を過熱度制御時の開度Ａと全開または全開近傍の開度Ｂとの間で周期的に複数回開閉し、間欠的に液バックさせることにより、冷房用電子膨張弁１１の開度を過熱度制御時の開度よりも大きめの一定開度とし、或る時間連続的に液バック気味運転する場合に比べて、間欠的に複数回実施される液バック運転の毎回の液バック運転時に、より液リッチな冷媒Ｃを液バックさせることが可能となる。
【００３４】
このため、既設の渡り配管であるガス冷媒配管４および液冷媒配管５を洗浄する際の洗浄力および洗浄効果を高め、配管洗浄運転時間を短くすることができる。つまり、配管洗浄時の液バック運転は、ガス冷媒配管４や液冷媒配管５の内面に付着している油や塩素等の異物を液冷媒で洗い流すためのものであり、同じ量の冷媒を液バックするにしても、湿り度を高めにした冷媒を或る時間連続的に流して液バック気味運転するよりも、より液リッチな状態の冷媒Ｃを間欠的に流して洗い流した方が洗浄力を高めることができ、それが配管洗浄運転時間の短縮化に繋がることになる。
【００３５】
また、冷房用電子膨張弁（ＥＥＶＣ）１１を上記の如く周期的に開閉する際において、過熱度制御時の開度Ａとする時間Ｔ１と全開または全開近傍の開度Ｂとする時間Ｔ２との比を、概ね２〜４：１としている。このため、配管洗浄運転時に冷房用電子膨張弁１１が全開または全開近傍の開度Ｂとされる時間Ｔ２を過熱度制御時の開度Ａとされる時間Ｔ１の概ね１／２〜４に設定し、液バック運転の時間を短めとすることにより、液バックされる冷媒のトータル量を抑制しつつ、複数回実施される液バック運転の毎回の液バック運転時に、より液リッチとした状態の冷媒Ｃを液バックさせることができる。従って、既設の渡り配管であるガス冷媒配管４や液冷媒配管５の洗浄力および洗浄効果を高め、配管洗浄運転時間を短くすることができる。
【００３６】
さらに、本実施形態においては、室外側冷媒回路１４中に、既設の渡り配管内に残留していた異物を回収する異物回収部２０を設けている。このため、配管洗浄運転時に液バック運転により渡り配管であるガス冷媒配管４や液冷媒配管５から室外機２側に回収された異物を、室外側冷媒回路１４中に設けられている異物回収部２０により回収し、冷媒回路１８内から除去することができる。従って、渡り配管であるガス冷媒配管４や液冷媒配管５中に残留していた異物が通常の空調運転に影響を及ぼさないようにすることができる。
【００３７】
また、上記の異物回収部２０が、室外側冷媒回路１４中に設けられている暖房用電子膨張弁（ＥＥＶＨ）９に対して並列に接続され、配管洗浄運転時のみ冷媒が流通可能とされるドライヤ２３を備えたバイパス回路２１により構成されている。このため、配管洗浄運転時、暖房用電子膨張弁９を全閉状態とし、配管洗浄運転時のみ冷媒が流通可能とされるバイパス回路２１側に冷媒を流すことにより、配管洗浄運転で既設の渡り配管であるガス冷媒配管４や液冷媒配管５から回収された油や塩素等の異物をドライヤ２３の吸着機能を利用して回収・除去することができる。従って、配管洗浄運転により回収された異物を専用の異物回収用バイパス回路２１を設けることで簡易に回収し、冷媒回路１８から除去することができる。
【００３８】
さらに、上記バイパス回路２１が、ドライヤ２３の入口側に電磁弁２２、出口側に逆止弁２４が設けられた回路とされている。このため、配管洗浄運転時、電磁弁２２を開とすることによりバイパス回路２１側に冷媒を流通させることができ、一方、配管洗浄運転終了後は、電磁弁２２を閉止としておくことにより、バイパス回路２１に対して冷媒を不流通とすることができる。従って、電磁弁１個で配管洗浄時のみ冷媒を流通させ、異物の回収に供することができる常設のバイパス回路２１を構成でき、異物回収部２０を着脱する手間を省くことができる。
【００３９】
［第２実施形態］
次に、本発明の第２実施形態について、図１を用いて説明する。
本実施形態は、上記した第１実施形態に対して、異物回収部２０を異物回収部３０に代替している点が異なっている。その他の点については、第１実施形態と同様であるので説明は省略する。
本実施形態では、図１に示されるように、室外側冷媒回路１４中において、ガス側操作弁１５の外方側に、所要の容積を有する補助アキュームレータ３１を着脱可能に接続することによって、異物回収部３０を構成している。
【００４０】
補助アキュームレータ３１は、３個の開閉弁３２，３３，３４の開閉によって室外側冷媒回路１４を流れる冷媒が流通または不流通とされるように切換え可能とされている。つまり、開閉弁３２を開、開閉弁３３，３４を閉とすることにより、冷媒を不流通とし、開閉弁３２を閉、開閉弁３３，３４を開とすることにより、冷媒を流通することが可能な構成とされている。この補助アキュームレータ３１は、フレア継手等を介して室外側冷媒回路１４に対し着脱自在とされている。
【００４１】
このように、本実施形態の異物回収部３０は、室外側冷媒回路１４中においてガス側操作弁１５の外方側に設けられ、配管洗浄運転時のみ冷媒が流通される着脱可能な補助アキュームレータ３１により構成されているため、配管洗浄運転時、間欠的な液バック運転によって室内機３側から渡り配管であるガス冷媒配管４を流通して室外機２側に液バックされる冷媒を、室外機２の入口部に設けられている補助アキュームレータ３１によってホールドし、そこで異物を回収することができるとともに、液冷媒を一旦ホールドして徐々に圧縮機６側に戻すことができる。
【００４２】
従って、本実施形態によれば、渡り配管であるガス冷媒配管４や液冷媒配管５中に残留していた異物を直接回収・除去し、回収効率を高めることができるとともに、圧縮機６への大量の液バックを防止し、圧縮機６を保護することができる。また、着脱可能な補助アキュームレータ３１であるため、或る程度の容積を確保し、間欠的な複数回分の液バック量に見合った補助アキュームレータ３１とすることにより、圧縮機６を確実に保護することができる。なお、本実施形態は、渡り配管の配管長さが長くなる空気調和機１に対して有効である。
【００４３】
なお、本発明は、上記実施形態にかかる発明に限定されるものではなく、その要旨を逸脱しない範囲において、適宜変形が可能である。例えば、上記実施形態では、室内機３が１台接続されたシングルタイプの空気調和機１に適用した例について説明したが、室内機３が複数台接続されるマルチタイプの空気調和機に対しても同様に適用できることはもちろんである。
【符号の説明】
【００４４】
１  空気調和機
２  室外機
３  室内機
４  ガス冷媒配管（渡り配管）
５  液冷媒配管（渡り配管）
９  暖房用電子膨張弁（ＥＥＶＨ）
１１  冷房用電子膨張弁（ＥＥＶＣ）
１４  室外側冷媒回路
１５  ガス側操作弁
２０  異物回収部
２１  バイパス回路
２２  電磁弁
２３  ドライヤ
２４  逆止弁
２５  配管洗浄制御部
３０  異物回収部
３１  補助アキュームレータ
３２，３３，３４  開閉弁
Ｔ１  過熱度制御時の開度Ａとする時間
Ｔ２  全開または全開近傍の開度Ｂとする時間
【図１】
2014009832.tif 000003
【図２】
2014009832.tif 000004
【図３】
2014009832.tif 000005